(57)【要約】【課題】従来の洋菓子を載置して使用するトレイにおいては、載置した洋菓子を、適切にかつ容易にケーキを収納するための箱に収納することができないという課題があった。【解決手段】洋菓子を載置して持ち運ぶ洋菓子用トレイ１であって、複数の洋菓子が載置される底板１０１と、底板１０１に載置された洋菓子の動きを制限する仕切部材１０２とを備えるようにし、洋菓子が載置された状態で、洋菓子を収納するための箱内に配置されるようにした。【選択図】図１
2015202882.tif 000002
【特許請求の範囲】
【請求項１】
洋菓子を載置して持ち運ぶ洋菓子用トレイであって、
複数の洋菓子が載置される底板と、
前記底板に載置された洋菓子の動きを制限する仕切部材とを備え、
前記洋菓子が載置された状態で、洋菓子を収納するための箱内に配置される洋菓子用トレイ。
【請求項２】
前記洋菓子用トレイは、
前記底板に載置した洋菓子の加重による湾曲または折れによる一以上の前記洋菓子の落下を防ぐ硬度を有する請求項１記載の洋菓子用トレイ。
【請求項３】
前記底板の底面は平坦である請求項１または請求項２記載の洋菓子用トレイ。
【請求項４】
前記仕切り部材の高さは、略５ｍｍから略３０ｍｍの範囲内の高さである請求項１から請求項３いずれか一項記載の洋菓子用トレイ。
【請求項５】
前記底板及び仕切り部材は、食品衛生に関する基準を満たす材質である請求項１から請求項４いずれか一項記載の洋菓子用トレイ。
【請求項６】
前記仕切部材の硬度が、前記底板の硬度よりも低い請求項１から請求項５いずれか一項記載の洋菓子用トレイ。
【請求項７】
前記洋菓子用トレイの材質は紙である請求項１から請求項６いずれか一項記載の洋菓子用トレイ。
【発明の詳細な説明】
【技術分野】
【０００１】
本発明は、洋菓子用のトレイ等に関するものである。
【背景技術】
【０００２】
従来の技術として、ケーキ箱の底板に固定され、上方に突起してケーキを固定する止め部を有するケーキ止め具が知られていた（例えば、特許文献１参照）。
【先行技術文献】
【特許文献】
【０００３】
【特許文献１】特開２００６−１６０２８１号公報（第１頁、第１図等）
【発明の概要】
【発明が解決しようとする課題】
【０００４】
通常、洋菓子を販売する際においては、例えば、ショーケース内等に配置されている洋菓子の中から、顧客が指定する洋菓子をトレイ上に取り出し、顧客が指定した洋菓子について確認を受けた上で、トレイ上に配置した洋菓子を洋菓子を収納する箱内に移し替えて、箱に収納した洋菓子を顧客に引き渡している。
【０００５】
しかしながら、洋菓子をトレイから箱に移し替える際に、洋菓子を落としてしまったり、洋菓子の一部が箱に当たってしまって一部が破損してしまったり等によって、洋菓子にダメージを与えてしまう場合があった。このように、従来においては、洋菓子を適切にかつ容易に箱内に収納することができないという課題があった。
【０００６】
本願は、上記のような課題を解消するためになされたものであり、洋菓子を適切にかつ容易に箱に収納することができる洋菓子用トレイを提供することを目的とする。
【課題を解決するための手段】
【０００７】
本発明の洋菓子用トレイは、洋菓子を載置して持ち運ぶ洋菓子用トレイであって、複数の洋菓子が載置される底板と、底板に載置された洋菓子の動きを制限する仕切部材とを備え、洋菓子が載置された状態で、洋菓子を収納するための箱内に配置される洋菓子用トレイである。
【０００８】
かかる構成により、複数の洋菓子を洋菓子用トレイに載置したまま箱に配置することができ、洋菓子を適切にかつ容易に箱に収納することができる。
【０００９】
また、本発明の洋菓子用トレイは、前記洋菓子用トレイにおいて、洋菓子用トレイは、底板に載置した洋菓子の加重による湾曲または折れによる一以上の洋菓子の落下を防ぐ硬度を有する洋菓子用トレイである。
【００１０】
かかる構成により、洋菓子用トレイを手に持った状態で、洋菓子を載置していくことができる。
【００１１】
また、本発明の洋菓子用トレイは、前記洋菓子用トレイにおいて、底板の底面は平坦である洋菓子用トレイである。
【００１２】
かかる構成により、洋菓子用トレイを安定して載置することができるとともに、洋菓子用トレイの硬度を保つことができる。
【００１３】
また、本発明の洋菓子用トレイは、前記洋菓子用トレイにおいて、仕切り部材の高さは、５ｍｍから３０ｍｍの範囲内の高さである洋菓子用トレイである。
【００１４】
かかる構成により、仕切部材が洋菓子を洋菓子用トレイに載置する際の邪魔になりにくくすることと、仕切部材により箱内での洋菓子の移動を抑えることとの両立を図ることができる。
【００１５】
また、本発明の洋菓子用トレイは、前記洋菓子用トレイにおいて、底板及び仕切り部材は、食品衛生に関する基準を満たす材質である洋菓子用トレイである。
【００１６】
かかる構成により、食品衛生上、安全な洋菓子用トレイを提供することができる。
【００１７】
また、本発明の洋菓子用トレイは、前記洋菓子用トレイにおいて、仕切部材の硬度が、底板の硬度よりも低い洋菓子用トレイである。
【００１８】
かかる構成により、洋菓子用トレイの硬度を底板で確保するとともに、仕切部材が洋菓子との接触した際の洋菓子に与える衝撃を抑えることができる。
【００１９】
また、本発明の洋菓子用トレイは、前記洋菓子用トレイにおいて、洋菓子用トレイの材質は紙である洋菓子用トレイである。
【００２０】
かかる構成により、洋菓子用トレイを軽量化できるとともに、使用済の洋菓子用トレイの廃棄やリサイクルを容易に行うことができる。
【発明の効果】
【００２１】
本発明による洋菓子用トレイによれば、洋菓子を適切にかつ容易に箱に収納することができる。
【図面の簡単な説明】
【００２２】
【図１】本発明の実施の形態１における洋菓子用トレイの一例を示す斜視図（図１（ａ））、及び洋菓子用トレイに洋菓子を載置した状態の一例を示す図（図１（ｂ））
【図２】同洋菓子用トレイが配置される箱の斜視図（図２（ａ））、及び箱に洋菓子用トレイを配置した状態を示す図（図２（ｂ））
【図３】本発明の実施の形態１における洋菓子用トレイの変形例を示す斜視図（図３（ａ））、及び洋菓子用トレイに洋菓子を載置した状態の一例を示す図（図３（ｂ））
【図４】本発明の実施の形態２における洋菓子用トレイを示す斜視図（図４（ａ））、及びこの洋菓子用トレイについて説明するための図（図４（ｂ））
【図５】同洋菓子用トレイに載置される洋菓子を示す斜視図（図５（ａ））、載置される洋菓子の構成を説明するための斜視図（図５（ｂ））、及びこの洋菓子を、洋菓子用トレイに載置した状態の一例を示す図（図５（ｃ））
【発明を実施するための形態】
【００２３】
以下、洋菓子用トレイの実施形態について図面を参照して説明する。なお、実施の形態において同じ符号を付した構成要素は同様の動作を行うので、再度の説明を省略する場合がある。
【００２４】
（実施の形態１）
図１は、本実施の形態における洋菓子用トレイ１の一例を示す斜視図（図１（ａ））、お及び、洋菓子用トレイ１にケーキ等の洋菓子２０を載置した状態の一例を示す図（図１（ｂ））である。
【００２５】
また、図２は、本実施の形態における洋菓子用トレイ１が配置される箱１０の斜視図（図２（ａ））、及び箱１０に洋菓子用トレイを配置した状態を示す図（図２（ｂ））である。
【００２６】
洋菓子用トレイ１は、底板１０１、仕切部材１０２とを備えている。
【００２７】
洋菓子用トレイ１は、１または２以上の洋菓子２０を載置して持ち運ぶためのトレイである。洋菓子用トレイ１は、図２（ｂ）に示すように、洋菓子２０が載置された状態で、洋菓子２０を収納するための箱１０内に配置されるトレイである。洋菓子用トレイ１は、例えば、図２（ａ）に示すような洋菓子を収納する箱１０にはめ込み可能なサイズや平面形状を有している。洋菓子用トレイ１は、例えば、図２（ａ）に示すような箱１０内の底部に対して取り付け（あるいは配置）、及び取り外しが可能なトレイである。洋菓子用トレイ１は、箱１０内に配置した状態で、箱１０内において移動しないような大きさや形状を有していることが好ましい。
【００２８】
底板１０１には、複数の洋菓子２０が載置される。洋菓子２０とは、例えば、ケーキやプリン、ババロア等の洋生菓子である。洋菓子２０は、底板１０１上に直接載置されてもよいし、紙製のシート等の他の部材を介して載置されてもよい。載置される洋菓子は、紙やプラスチック等の板やシート上に載置されたものであってもよいし、グラシンケースやアルミケース等の容器に載置されたものであってもよい。また、載置される洋菓子は、紙や、透明なフィルム、アルミ箔等で底面や側面が覆われたものであってもよい。また、後述する仕切部材１０２の一部を挟むように底板１０１上に載置されてもよい。載置される複数の洋菓子２０は、種類や形状等が異なる洋菓子であってもよい。図１に示した洋菓子用トレイ１の底板１０１は、例えば、平板形状を有している。底板１０１は、例えば、複数の洋菓子２０を載置する広さを有している。底板１０１の材質は例えば紙であるが、底板１０１の材質は、プラスチック等であってもよいし、いわゆるパルプモールドのように成型されたパルプ等であってもよい。底板１０１の底面は、硬度を高くする観点や、洋菓子を載置したトレイを載置した際の安定性等の観点から、平坦であることが好ましい。
【００２９】
仕切部材１０２は、底板１０１に載置された洋菓子２０の動きを制限するための部材である。洋菓子２０の動きとは、洋菓子２０の底板１０１の表面に沿った移動や、洋菓子２０の転倒等である。仕切部材１０２は、底板１０１に対して、はめ込み構造（図示せず）や、接着剤や、粘着テープ等で固定されていることが好ましい。仕切部材１０２は、底板１０１と一体成型されていてもよい。
【００３０】
仕切部材１０２の高さは、略５ｍｍから略３０ｍｍまでの範囲の高さであることが好ましく、洋菓子を載置のしやすさと、洋菓子の動きの制限とのバランス等を考慮した場合、より好ましくは略１０ｍｍから略２０ｍｍまでの範囲であることが好ましい。このような範囲の高さとすることで、底板１０１に載置された洋菓子２０が転倒したり、移動したりしないようにすることができるとともに、洋菓子２０を底板１０１に載置したり取り出したりする際の邪魔になったり、載置する際に洋菓子２０が仕切部材に１０２に当たりにくくして、洋菓子を傷つけにくくすることができる。
【００３１】
本実施の形態においては、洋菓子用トレイ１が、天面板１０２ａの複数の洋菓子２０がそれぞれ載置される位置に、洋菓子２０を載置するための凹部１０３を有する直方体形状の箱である場合を例に挙げて説明する。
【００３２】
図１に示す洋菓子用トレイ１においては、天面板１０２ａの切り込みが加えられた部分が凹部１０３となるように、十字状の切り込みにより生成された切り込み片１０３ａが底面側に向かって折り曲げられた構造を有している。ただし、ここでは、切り込み片１０３ａは、中心側の先端部分を切り欠いた形状を有している。この洋菓子用トレイ１においては、箱の底面が底板１０１であり、その他の部分が仕切部材１０２である。ただし、凹部１０３の近傍のみを仕切部材１０２と考えてもよい。また、切り込み片の凹部１０３の底面に相当する部分を洋菓子用トレイ１の底板や底板の一部と考えてもよい。凹部１０３の平面における大きさは、洋菓子２０が載置可能な大きさである。また、一の洋菓子用トレイに設けられている凹部１０３の数は、２以上であることが好ましい。
【００３３】
例えば、洋菓子２０を凹部１０３内に載置することで、洋菓子２０が底板１０１上に載置されるとともに、移動しようとした洋菓子２０や、転倒しそうになった洋菓子２０が、凹部１０３の側面に位置する切り込み片１０３ａ等に当接したりすることで、洋菓子２０が移動したり、転倒したりしないようにできる。
【００３４】
なお、図１においては、凹部１０３の側面は、底板１０１に対して傾斜しているが、垂直であってもよい。
【００３５】
また、凹部１０３の切り込みは十字でなくてもよい。切り込みは、例えば、三以上の放射状の切り込みであってもよい。また、凹部１０３の平面形状は、矩形形状であっても、円形や楕円形、扇形、くさび形等の、その他の形状であってもよい。また、切り込み片１０３ａの一部、例えば、底面に相当する部分等は、切り欠いていてもよい。
【００３６】
また、凹部１０３は、天面板１０２ａに設けられた、矩形や円形、楕円形等の所定の形状の孔であってもよい。
【００３７】
また、凹部１０３には、高さが、５ｍｍから３０ｍｍまでの範囲の受け皿状の容器（図示せず）がはめ込まれていてもよい。この容器の材質はプラスチックやＰＥＴ等どのような材質であってもよい。この場合、この容器の底面を底板１０１と考えてもよい。
【００３８】
また、凹部１０３は天面板１０２ａにプレス成形で設けられた凹部１０３であってもよい。この場合、凹部１０３の底面を底板１０１と考えてもよい。例えば、天面板１０２ａと凹部１０３とをパルプモールド等で一体成型したものを、洋菓子用トレイ１と考えてもよい。
【００３９】
なお、仕切部材１０２は、凹部１０３を有する天面板１０２ａとその周囲に設けられた底板１０１方向に向かって折り曲げられた、折り曲げ片（図示せず）とを有する隆起状の部材を、天面板１０２ａと同程度の大きさの底板１０１上に配置、あるいは取り付けたものであってもよい。この折り曲げ片の高さは、例えば、高さ５ｍｍから３０ｍｍまでの範囲であることが好ましい。
【００４０】
図３は、洋菓子用トレイの変形例を示す斜視図（図３（ａ））、及びこの変形例の洋菓子用トレイに洋菓子を載置した状態の一例を示す図（図３（ｂ））である。
【００４１】
仕切部材１０２は、図３に示すように、底板１０１上に積層した凹部１０３を有する板状の部材であってもよい。図３においては、この板状の部材は、例えば、２枚の板状の部材、例えば、厚紙や段ボール等を積層したものであり、この仕切部材１０２の凹部１０３は、底板１０１上に配置された２枚の板状の部材に設けられた孔であり、凹部１０３の底面には、底板１０１の上面が露出している。なお、板状の部材は、１または２以上の板状の部材を底板１０１上に積層したものであればよい。
【００４２】
また、仕切部材１０２は、底板１０１上に対して設けられた仕切板（図示せず）であってもよい。仕切板の高さは、５ｍｍから３０ｍｍまでの範囲であることが好ましい。仕切板で区切られた底板１０１上の領域数は、２以上であることが好ましい。仕切板は、底板１０１に取り付けられていてもよいし、仕切板は、底板１０１と一体成型されていてもよい。例えば、洋菓子用トレイ１は、仕切板と、底板１０１とを一体成型したパルプ成型品、例えば、いわゆるパルプモールド等であってもよい。
【００４３】
洋菓子用トレイ１は、底板１０１上に載置した１以上の洋菓子２０の加重による湾曲や折れによる載置した洋菓子２０の１以上の落下を防ぐ硬度を有するものであることが好ましい。より好ましくは、片手で持った状態で、湾曲や折れによる載置した洋菓子２０の落下を防ぐ硬度を有するものであることが好ましい。例えば、洋菓子用トレイ１の硬度を上記のような条件を満たす硬度とするために、底板１０１として、硬度の高い材質、例えば段ボールや厚紙等を用いてもよい。また、パルプモールド等を用いてもよい。また、ハニカム構造等の、上記のような硬度が得られる構造を有する紙等を底板１０１等に用いてもよい。なお、仕切部材１０２の材質は、洋菓子２０に接触した際の洋菓子２０への衝撃を低減させるために、底板１０１よりも、硬度の低い材質、例えば硬度の異なる紙等を用いるようにしてもよい。
【００４４】
洋菓子用トレイ１の底板１０１及び仕切部材１０２の材質は、食品衛生に関する基準を満たす材質であることが好ましい。食品衛生に関する基準とは、例えば、国や、自治体により食品衛生法等の法律で指定されている食品衛生に関する基準や、国や自治体の指針が示す食品衛生に関する基準である。また、食品業界や包装業界等の業界や、企業等が設定している自主基準等であってもよい。
【００４５】
洋菓子用トレイ１の材質は、例えば、紙である。また、紙としては、表面に撥水加工等を施したものを用いてもよい。洋菓子用トレイ１の材質を紙とすることで、使用済となった洋菓子用トレイ１の廃棄やリサイクルが容易となる。例えば、材質が紙である場合、蛍光染料を含まないものを用いることが好ましい。このような紙を用いることで、例えば、食品衛生に関する基準を満たすことができる。ただし、洋菓子用トレイ１の材質は、プラスチックやＰＥＴ、スチレン等の樹脂であってもよい。
【００４６】
箱１０は、洋菓子用トレイ１を収容する。箱１０は、洋菓子用トレイ１を収容可能な形状及びサイズを有する。箱１０は、例えば、図２（ａ）に示すような洋菓子２０を載置した洋菓子用トレイ１を底部にはめ込み可能な平面サイズや形状を有している。箱１０は、洋菓子２０を載置した洋菓子用トレイ１を内部に配置しやすいように、１以上の側面が開く構造であることが好ましい。
【００４７】
次に、洋菓子用トレイ１を用いた、洋菓子２０を箱内に収納するための動作の具体例について一例を挙げて説明する。
【００４８】
例えば、洋菓子店等において、店員が、顧客から、ショーケース内等に配置されている２以上の洋菓子２０を注文する指示を受けると、店員は、洋菓子用トレイ１を片手に持ち、もう一方の手で持ったトング等を用いて、顧客から注文を受けた洋菓子２０をショーケースから順次取り出し、洋菓子用トレイ１の仕切部材１０２により仕切られた底板１０１上の異なる領域に、取り出した洋菓子２０をそれぞれ個別に順次載置する。洋菓子２０を載置した状態は、例えば、図１（ｂ）に示したような状態である。
【００４９】
そして、２以上の洋菓子２０を載置した洋菓子用トレイ１を顧客に見せ、載置した洋菓子２０が注文通りであるかという点について確認を受けた後、この洋菓子２０を載置した状態の洋菓子用トレイ１をそのまま、箱１０内に配置する。洋菓子２０は、洋菓子用トレイ１に配置した状態のまま箱１０内に収納されるため、既に洋菓子２０を洋菓子用トレイ１に載置した時点で顧客の確認を得ていることから、箱１０に洋菓子を収納した状態での顧客による収納状況の確認作業が不要となる。洋菓子用トレイ１を箱内に配置した状態は、図２（ｂ）に示したような状態となる。そして、箱１０を閉じて、箱１０を顧客に引き渡す。
【００５０】
なお、確認の際に、顧客の注文と異なった洋菓子２０を洋菓子用トレイ１に載せていた場合や、顧客の注文に変更があった場合、載置されていた洋菓子２０を本来注文された洋菓子２０や、注文変更により新たに注文された洋菓子２０と置き換える。
【００５１】
以上、本実施の形態によれば、洋菓子用トレイ１の仕切部材１０２で仕切られた底板１０１上に、ショーケース内等に配置されている複数の洋菓子２０を個別に直接載置し、載置した状態の洋菓子用トレイ１を、そのまま箱１０に収納するため、洋菓子用トレイ１に一旦載置した洋菓子２０を、箱１０に移し替える操作や、箱１０に移し替えた後の顧客による確認作業等が不要となる。この結果、移し替え等による洋菓子販売に要する時間を短縮でき、販売の効率化を図ることができる。また、移し替え時の不適切な動作によって洋菓子２０の一部を傷つけることを防ぐことができる。この結果、洋菓子２０を適切にかつ容易に箱に収納することができる。
【００５２】
また、本実施の形態によれば、洋菓子用トレイ１には、仕切部材１０２が予め設けられているため、洋菓子２０が、箱１０内で動いて洋菓子２０の一部が破損することを防ぐことができる。
【００５３】
また、本実施の形態によれば、この仕切部材１０２の高さを５ｍｍから３０ｍｍの範囲の高さとすることで、仕切部材１０２が洋菓子２０を洋菓子用トレイ１に載置する際の邪魔になりにくくすることと、仕切部材１０２により箱１０内での洋菓子２０の移動を抑えることとの両立を図ることが可能となる。
【００５４】
（実施の形態２）
図４は、本発明の実施の形態２における洋菓子用トレイを示す斜視図（図４（ａ））、及びこの洋菓子用トレイについて説明するための図（図４（ｂ））である。
【００５５】
図５は、本発明の実施の形態２における洋菓子用トレイに載置される洋菓子を示す斜視図（図５（ａ））、載置される洋菓子の構成を説明するための斜視図（図５（ｂ））、及びこの洋菓子を、洋菓子用トレイに載置した状態の一例を示す図（図５（ｃ））である。
【００５６】
この実施の形態２の洋菓子用トレイ２は、直方体形状の箱であって、天面板２０２ａの複数の洋菓子２０が載置される位置に、洋菓子２０を載置するための複数の開口部２０３を備えた仕切部材２０２を備えたものである。なお、開口部２０３を備えた点を除けば、洋菓子用トレイ２の構成（例えば、材質や高さ等）については、上述した実施の形態１の洋菓子用トレイ１、例えば、図１に示した洋菓子用トレイ１と同様であり、ここでは詳細な説明は省略する。
【００５７】
洋菓子用トレイ２は、例えば、図４（ｂ）に示すように、差し込み式の蓋２０２ｂを両側面に備えた折りたたみ可能な構造を有している。洋菓子用トレイ２の材質は、例えば、紙である。洋菓子用トレイ２の開口部２０３内には、洋菓子用トレイ２の底板２０１が露出しており、洋菓子２０は、この開口部２０３内の底板２０１上に、直接、あるいは洋菓子の容器等を介して載置される。また、ここでは、洋菓子用トレイ２は、天面板２０２ａ上の開口部２０３に挟まれた領域に、保冷剤等を配置するための開口部である保冷剤用開口部２０４を備えている。
【００５８】
洋菓子用トレイ２の開口部２０３は、この洋菓子用トレイ２に載置される洋菓子、または洋菓子が載置された容器２２に嵌合する形状を有していることが好ましい。例えば、図５（ａ）に示すような洋菓子用トレイ２に載置される洋菓子２０が、図５（ｂ）に示すように、シート２１を介して洋菓子２０が容器２２に載置されたものである場合、開口部２０３は、この容器２２に嵌合する形状を有していることが好ましい。この洋菓子２０が載置された容器２２を、図５（ｃ）に示すように、洋菓子用トレイ２の開口部２０２に嵌め合わせて配置することで、洋菓子２０の移動を防ぐことができる。なお、洋菓子用トレイ２に容器２２を載置した場合に、容器２２が底板２０１に載置されるように、容器２２の形状や、洋菓子用トレイ２の高さ等を調整しておく。シート２１は、例えば、洋菓子２０の底面側の保護する役割や、洋菓子２０を容器２２から取り出しやすくするためのものであり、例えば、紙やプラスチックのフィルムやアルミ箔等が用いられる。洋菓子によっては、シート２１を省略してもよい。容器２２は、紙やプラスチックで構成されるカップや皿である。容器２２は、保型性を有するものであることが好ましい。容器２２の高さは、洋菓子用トレイ２の高さよりも高いことが好ましい。
【００５９】
次に、洋菓子用トレイ２を用いた、洋菓子２０を箱内に収納するための動作の具体例について一例を挙げて説明する。
【００６０】
例えば、洋菓子店等のショーケース内の各洋菓子２０が、図５（ａ）、及び図５（ｂ）に示すように、予めシート２１を介して容器２２上に予め載置されているものとする。
【００６１】
そして、店員が、顧客から、ショーケース内等に配置されている２以上の洋菓子２０を注文する指示を受けると、店員は、洋菓子用トレイ２を片手に持ち、もう一方の手で持ったトング等を用いて、顧客から注文を受けた洋菓子２０を容器２０ごとショーケースから順次取り出し、洋菓子用トレイ２の仕切部材２０２の天面板２０２ａに設けられた開口部２０３に、洋菓子２０が載置された容器２２をそれぞれ個別に順次載置する。洋菓子２０を載置した状態は、例えば、図５（ｃ）に示したような状態である。
【００６２】
そして、２以上の洋菓子２０を載置した洋菓子用トレイ２を顧客に見せ、載置した洋菓子２０が注文通りであるかという点について確認を受けた後、保冷剤開口部２０４に保冷剤を嵌め込み、この洋菓子２０を載置した状態の洋菓子用トレイ２をそのまま、箱１０内に配置する。そして、箱１０を閉じて、箱１０を顧客に引き渡す。
【００６３】
以上、本実施の形態によれば、洋菓子用トレイ２の開口部２０３に、洋菓子２０を載置することにより、上記実施の形態１と同様の効果を奏する。
【００６４】
更に、開口部２０３を、洋菓子２０が載置された容器２２に嵌合する形状とすることにより、容器２２に載置した洋菓子２０を洋菓子用トレイ２の開口部２０３に嵌め合わせて配置することができ、移動時等の洋菓子の洋菓子用トレイ２上での動きを極力抑えることができる。
【００６５】
なお、本発明は、以上の実施の形態に限定されることなく、種々の変更が可能であり、それらも本発明の範囲内に包含されるものであることは言うまでもない。
【産業上の利用可能性】
【００６６】
以上のように、本発明にかかる洋菓子用トレイは、洋菓子を載置するトレイとして適しており、特に、顧客から注文を受けた洋菓子を載置する洋菓子用トレイ等として有用である。
【符号の説明】
【００６７】
１、２  洋菓子用トレイ
１０  箱
１０１、２０１  底板
１０２、２０２  仕切部材
１０２ａ，２０２ａ  天面板
１０３  凹部
１０３ａ  切り込み片
２０３  開口部
【図１】
2015202882.tif 000003
【図２】
2015202882.tif 000004
【図３】
2015202882.tif 000005
【図４】
2015202882.tif 000006
【図５】
2015202882.tif 000007